(57)【要約】  【課題】  隅瓦および谷瓦を現場で切断すると、騒音や粉塵が発生して好ましくなかった。【解決手段】  棟隅部分または谷部分を有する野地板上において横方向に葺かれる瓦の最下段の葺き始めのスタート寸法を任意に決定し、その決定値に基づいて各段ごとに葺き始めの隅瓦または谷瓦の切断寸法を算出し、その切断寸法に基づいて工場で瓦を切断して隅瓦または谷瓦を作成し、作成された隅瓦または谷瓦を現場の屋根に持ち込み各段ごとに野地板上の一端から葺き始め、葺き終いにおける各段の隅瓦または谷瓦の底辺寸法を測定し、その測定値に基づいて各段ごとに葺き終いの隅瓦または谷瓦の切断寸法を算出し、その隅瓦または谷瓦の切断寸法に基づいて工場で瓦を切断し、その隅瓦または谷瓦を現場の屋根に持ち込み各段ごとに葺き終いの位置に葺設する。【選択図】  図１
2006104719.tif 000002
【特許請求の範囲】
【請求項１】
棟隅部分または谷部分を有する野地板上において縦方向または横方向に葺かれる瓦の最下段の葺き始めのスタート寸法を任意に決定する工程と、
該工程の決定値に基づいて各段ごとに葺き始めの隅瓦または谷瓦の切断寸法を算出する工程と、
該工程において算出された隅瓦または谷瓦の切断寸法に基づいて工場で瓦を切断して隅瓦または谷瓦を作成する工程と、
該工程で作成された隅瓦または谷瓦を現場の屋根に持ち込み各段ごとに野地板上の一端から隅瓦または谷瓦を用いて葺き始めていき、各段ごとに隅瓦または谷瓦の葺き終い底辺寸法を測定する工程と、
該工程の測定値に基づいて各段ごとに葺き終いの隅瓦または谷瓦の切断寸法を算出する工程と、
該工程において算出された隅瓦または谷瓦の切断寸法に基づいて工場で瓦を切断して隅瓦または谷瓦を作成する工程と、
該工程で作成された各段ごとの葺き終いの隅瓦または谷瓦を現場の屋根に持ち込み各段ごとに葺き終いの位置に葺設する工程と、
を備えたことを特徴とする瓦葺きのプレカット工法。
【請求項２】
平面投影図の内角が４５度の棟隅部分または平面投影図の内角が１３５度の谷部分を有する野地板上において縦方向または横方向に葺かれる瓦の最下段の葺き始めのスタート寸法を任意に決定する工程と、
該工程で決定されたスタート寸法に基づいて最下段を葺き始めから葺き終いまで瓦を割り付けるとともに最下段の隅瓦または谷瓦の葺き終い底辺寸法を測定する工程と、
前記各工程での決定値または測定値に基づいて各段ごとに吹き始めおよび葺き終いの隅瓦または谷瓦の切断寸法を算出する工程と、
該工程において算出された隅瓦または谷瓦の切断寸法に基づいて工場で瓦を切断して隅瓦または谷瓦を作成する工程と、
該工程で作成された隅瓦または谷瓦を現場の屋根に持ち込み各段ごとに野地板上の一端から隅瓦または谷瓦を用いて葺き始め、途中の葺き終い近くの位置で、前記最下段の瓦の割り付けに基づく傾斜方向の基準線に各段の瓦の端面を一致させるように調整する工程と、
該工程で位置を調整された瓦の端面から再び瓦を葺き始めて葺き終いの隅瓦または谷瓦まで葺く工程と、
を備えたことを特徴とする瓦葺きのプレカット工法。
【請求項３】
請求項２に記載の瓦葺きのプレカット工法において、
前記調整工程における基準線は筋葺きの場合に１本とし、千鳥葺きの場合に幅方向に瓦半分の間隔の２本としたことを特徴とする瓦葺きのプレカット工法。
【請求項４】
請求項１乃至３のいずれかに記載の瓦葺きのプレカット工法において、
前記瓦の形状が長方形以外の変形瓦である場合は、該変形瓦が内接する長方形に基づいて切断寸法を算出し、前記変形瓦を前記長方形に対応させた状態で前記切断寸法に基づき切断加工することを特徴とする瓦葺きのプレカット工法。
【発明の詳細な説明】
【技術分野】
【０００１】
本発明は、棟隅部分または谷部分を有する屋根の瓦葺きにおいて、その隅瓦および谷瓦を工場で切断することで、現場での瓦の切断作業を不要にした瓦葺きのプレカット工法に関する。
【背景技術】
【０００２】
日本家屋には、図１に示されるように、鍵型をした寄せ棟造りがある。この屋根を瓦葺きする場合は、葺き始めの最初と葺き終いの最後の瓦、すなわち棟隅部分１〜５または谷部分６では、それぞれ片側を斜めに切断した隅瓦や谷瓦を用いて葺かなければならない。この隅瓦や谷瓦は、従来現場で加工しており、その作業は、切断する部分の形状寸法に基づいて、瓦に、分割用の切断線を斜めに引き、その切断線に沿って、瓦金槌を用いて殴打して割ったり、あるいは電動カッターで切断したりしていた。
【０００３】
瓦金槌を用いる場合は熟練技術を必要とし、しかも確実ではなかった。電動カッターを用いた場合は、確実に切断することができるものの、騒音、粉塵が発生して、環境問題を起こすとともに、電源コードが屋根にあると、作業者の足に絡まるおそれがあり、高所のため危険であった。そこで、これらの不具合を解消するために、予め、各種寸法の隅瓦や谷瓦を生産しておいて、その中から現場の寸法に適合したものを選択して使用したり、あるいは、建築図面から計算により隅瓦や谷瓦の切断寸法を求めて、前もって工場で切断した瓦を現場に持ち込んで使用したりすることが試みられたことがあった。これらの従来技術としては、特許文献１乃至特許文献３に記載のものがある。
【特許文献１】特開平８−１０９７０８号公報
【特許文献２】特開平１１−１９９６号公報
【特許文献３】特開２００２−１８８２４６号公報
【発明の開示】
【発明が解決しようとする課題】
【０００４】
しかしながら、上述したように、予め、各種寸法の隅瓦や谷瓦を生産しておいて、その中から現場の寸法に適合したものを選択して使用する場合は、屋根勾配が一定でないため、各勾配ごとに、多数の組み合わせパターンを用意する必要があり、ストックして置く瓦の種類が膨大な数になり、それらを現場に持ち込みその中から選択して使用するということは現実的に無理であった。また、建築図面から計算により隅瓦や谷瓦の切断寸法を求めて、前もって工場で瓦を切断し、その切断した隅瓦や谷瓦を現場に持ち込んで使用する場合は、最初の葺き始めは問題がないが、最後の葺き終いの部分が計算通りにならずまとまらないという結果となり、この方法も普及するには至らなかった。
【０００５】
後者における最後の葺き終いの部分がうまくまとまらないという原因は、次の３つの原因が考えられた。（１）瓦を葺く野地板が大工の技量によっては、建築図面通りに仕上がらず、勾配や寸法に無視できないバラツキが発生する。（２）瓦自体が焼成時の仕上がり寸法にバラツキがある。（３）瓦葺き職人の手加減により瓦の横方向の寸法の積み重ねにバラツキが発生する。これらのバラツキの要因が組み合わせられた結果、葺き始めは良いが、葺き終いのところで、ほとんどの場合、プレカットしておいた瓦の寸法が食い違い、瓦が大きすぎて納まらなくなるか、反対に小さすぎて隙間が開いてしまっていた。そこで、本発明は、葺き始めはもちろん、葺き終いのときにも必ず、プレカットしておいた瓦が現場の寸法に一致することのできる瓦葺きのプレカット工法を提案することを目的とした。
【課題を解決するための手段】
【０００６】
上記課題を解決するために、本発明は、棟隅部分または谷部分を有する野地板上において縦方向または横方向に葺かれる瓦の最下段の葺き始めのスタート寸法を任意に決定する工程と、該工程の決定値に基づいて各段ごとに葺き始めの隅瓦または谷瓦の切断寸法を算出する工程と、該工程において算出された隅瓦または谷瓦の切断寸法に基づいて工場で瓦を切断して隅瓦または谷瓦を作成する工程と、該工程で作成された隅瓦または谷瓦を現場の屋根に持ち込み各段ごとに野地板上の一端から隅瓦または谷瓦を用いて葺き始めていき、各段ごとに隅瓦または谷瓦の葺き終い底辺寸法を測定する工程と、該工程の測定値に基づいて各段ごとに葺き終いの隅瓦または谷瓦の切断寸法を算出する工程と、該工程において算出された隅瓦または谷瓦の切断寸法に基づいて工場で瓦を切断して隅瓦または谷瓦を作成する工程と、該工程で作成された各段ごとの葺き終いの隅瓦または谷瓦を現場の屋根に持ち込み各段ごとに葺き終いの位置に葺設する工程とを備えたことを特徴とする。
【０００７】
また、本発明は、平面投影図の内角が４５度の棟隅部分または平面投影図の内角が１３５度の谷部分を有する野地板上において縦方向または横方向に葺かれる瓦の最下段の葺き始めのスタート寸法を任意に決定する工程と、該工程で決定されたスタート寸法に基づいて最下段を葺き始めから葺き終いまで瓦を割り付けるとともに最下段の隅瓦または谷瓦の葺き終い底辺寸法を測定する工程と、前記各工程での決定値または測定値に基づいて各段ごとに吹き始めおよび葺き終いの隅瓦または谷瓦の切断寸法を算出する工程と、該工程において算出された隅瓦または谷瓦の切断寸法に基づいて工場で瓦を切断して隅瓦または谷瓦を作成する工程と、該工程で作成された隅瓦または谷瓦を現場の屋根に持ち込み各段ごとに野地板上の一端から隅瓦または谷瓦を用いて葺き始め、途中の葺き終い近くの位置で、前記最下段の瓦の割り付けに基づく傾斜方向の基準線に各段の瓦の端面を一致させるように調整する工程と、該工程で位置を調整された瓦の端面から再び瓦を葺き始めて葺き終いの隅瓦または谷瓦まで葺く工程とを備えたことを特徴とする。ここで、前記調整工程における基準線を筋葺きの場合は１本とし、千鳥葺きの場合は幅方向に瓦半分の間隔の２本とすることが必要である。
【０００８】
なお、前記瓦の形状が長方形以外の変形瓦である場合は、該変形瓦が内接する長方形に基づいて切断寸法を算出し、前記変形瓦を前記長方形に対応させた状態で前記切断寸法に基づき切断加工することが可能である。
【発明の効果】
【０００９】
以上述べたように本発明によれば、葺き終いを野地板上の測定した葺き終い底辺寸法に基づいて隅瓦または谷瓦を工場で切断して葺く場合は、途中の葺き方いかんにかかわらず、最後が必ず一致することになり、現場での瓦を切断する作業が不要となる。
また、葺き始めと葺き終いにおける隅瓦または谷瓦を工場で前もって切断しておいて、葺く場合は、葺き終い近くで基準線に瓦の端面を合わせる工程を持つことで、瓦の位置のバラツキが修正されて、葺き終いが確実に一致し、同様に、現場での瓦を切断する作業が不要となる。
また、瓦の形状が長方形以外の変形瓦である場合は、該変形瓦が内接する長方形に基づいて切断寸法を算出し、前記変形瓦を前記長方形に対応させた状態で前記切断寸法に基づき切断加工することで、長方形の瓦の場合と同様にプレカットして葺くことが可能となる。
【発明を実施するための最良の形態】
【００１０】
以下、図に基づいて本発明の実施形態を説明する。実施形態では、図１における棟隅部分１から左方向に葺いていく場合について説明する。この場合、各段の右端となる隅瓦は、図２のようにして工場で切断する。先ず、屋根の野地板の勾配が測定される。その結果、切断線Ａの角度θが確定する。次に、最下段の右端の瓦１１のスタート寸法ａを任意に決定する。すると、角度θから瓦１１および瓦１２の長さ方向（縦方向）の切断される寸法ｂが算出される。続いて、瓦１１等の働き面の長さから寸法ｃが算出される。続いて、寸法ｃと角度θから寸法ｄおよび寸法ｅが算出され、瓦１１および瓦１２の切断寸法が確定する。
【００１１】
続いて、瓦１１と瓦１３の重複部分の寸法ｇが予め定められているため、角度θによりｈが算出され、瓦１３の切断寸法が確定する。以後、同様な手順で、瓦１４，１５の切断寸法が順に算出される。なお、上述したスタート寸法とは、図３のように、棟隅の場合、棟隅の陵線である芯から透かし寸法の分、内側に移動した基準線からの水平方向の距離を言う。これらの算出は、電卓等を用いて人力により算出することも可能であるが、専用のプログラムソフトを用いたパソコンにより算出することが、誤りもなく能率的である。パソコンで算出した場合は、切断される瓦１１〜１５等について切断寸法を記入した切断図をプリントアウトし、その切断図に基づいて、工場において電動カッターで切断する。この場合、切断作業が現場ではなくて工場で行われるため、粉塵や騒音の問題が解決される。
【００１２】
次に、工場で切断した瓦を現場に持ち込み、図１における棟隅部分１から各段について左方向に葺いていく。左端まで葺いて、谷部分６のところで、半端な谷瓦部分が葺き残る。ここで、再度、葺き残った各段の谷瓦の底辺寸法を測定して、その測定値に基づき葺き始めの場合と同様に、切断寸法を算出する。次いで、工場でその算出寸法に基づいて谷瓦を切断し、現場に持ち込み谷瓦を葺いて作業を終了する。これらの作業を、残りの棟隅部分２〜５または谷部分６についても、同時進行で進めることで、屋根全体を効率良く葺くことができる。
【００１３】
なお、上述した瓦葺きの手順では、葺き終いを、現場で測定した値を用いて工場で切断作業をするようにしていたため、工場で２回の切断作業が必要であったが、葺き終いの隅瓦または谷瓦をも葺き始めの瓦の切断と同時に切断して、工場での切断作業を１回にしてしまうことも可能である。その場合は、初めに、最下段について、任意のスタート寸法を決定し、そのスタート寸法に基づいて、最下段のみ順に瓦を割り付けていき、必要な場合は墨出しをする。次に、割り付けられた葺き終いの底辺寸法を測定する。次いで、このスタート寸法および葺き終いの底辺寸法に基づいて各段の葺き始めおよび葺き終いの瓦の切断寸法を算出し、その算出値に基づき工場でプレカットする。次に、工場でプレカットされた瓦を現場に持ち込み、各段を葺いていき、葺き終いに近い位置で、図１の谷部分６の近くに記載した２本の基準線Ｂ，Ｃに、瓦の端面を合わせるようにする。
【００１４】
図示例では、千鳥葺きなので、１段おきにずれているため２本の基準線Ｂ，Ｃが必要であり、標準葺き（筋葺き）の場合は１本の基準線で良い。この基準線Ｂ，Ｃは、葺き始めのスタート位置の次の瓦の端面から瓦の働き面の幅の整数倍となる位置であり、この線に途中の瓦の端面を合わせることで、葺き始めから発生した瓦の位置ズレが補正される。その結果、その位置ズレが葺き終いに持ち込まれることがなくなり、計算結果の通りに葺き終いの谷瓦が最終位置に一致することが可能となる。なお、この葺き方の場合は、棟隅部分の平面投影図の内角が４５度であり、谷部分の平面投影図の内角が１３５度であることが条件となる。
【００１５】
なお、上述した実施形態では、瓦が長方形であるが、長方形以外の瓦も存在する。その一例として、図４に示されるように、五角形をした瓦２１がある。この場合は、瓦２１が内接する長方形２２を、瓦２１の形状と見なして、切断寸法ｉ，ｊを算出する。この切断寸法ｉ，ｊに基づいて、瓦２１を切断する。すなわち、瓦２１を長方形２２にあてがい、その状態のまま切断寸法ｉ，ｊにより決定される切断線２３を切断することで、瓦２１を目的の形状に切断することが可能となる。
【００１６】
図５は、平行四辺形をした瓦２５の場合を示し、この場合も、瓦２５が内接する長方形２６を、瓦２５の形状と見なして、切断寸法ｍ，ｎを算出する。この切断寸法ｍ，ｎに基づいて、瓦２５を切断する。すなわち、瓦２５を長方形２６にあてがい、その状態のまま切断寸法ｍ，ｎにより決定される切断線２７を切断することで、瓦２５を目的の形状に切断することが可能となる。このようにして、長方形以外の瓦は、いかなる形状をしていても、その瓦が内接する長方形について、切断寸法を算出することで、切断が容易に行える。
【００１７】
このように、本発明の瓦葺きでは、吹き始めの隅瓦および谷瓦について、勾配が測定され、最下段のスタート位置が決定されると、その他の段の瓦の切断寸法が一義的に算出されるため、その算出値を用いることで切断作業の能率が向上する。また、葺き終いについては、それぞれの底辺寸法が測定されて、その測定値に基づいて切断寸法が算出されて、その切断作業を工場で行うことで、現場での騒音や粉塵の発生を防止することができる。
また、途中に基準線を設ける場合は、吹き始めおよび葺き終いの隅瓦および谷瓦について、同時に工場で切断することが可能となり、さらに効率的である。
【産業上の利用可能性】
【００１８】
本発明は、寄せ棟造りの屋根以外に、入母屋造りの屋根についても同様に利用可能である。
【図面の簡単な説明】
【００１９】
【図１】屋根の一例を示す平面図である。
【図２】棟隅部分における隅瓦の切断例を示す切断図である。
【図３】瓦の葺き始めのスタート寸法を示す説明図である。
【図４】瓦の切断例を示す説明図である。
【図５】瓦の切断例を示す説明図である。
【符号の説明】
【００２０】
１〜５  棟隅部分
１１〜１５  瓦
２１  瓦
２２  長方形
２３  切断線
２５  瓦
２６  長方形
２７  切断線
Ａ  切断線
Ｂ，Ｃ  基準線
ａ  スタート寸法
ｂ〜ｈ  寸法
ｉ，ｊ  切断寸法
ｍ，ｎ  切断寸法
θ  角度
【図１】
2006104719.tif 000003
【図２】
2006104719.tif 000004
【図３】
2006104719.tif 000005
【図４】
2006104719.tif 000006
【図５】
2006104719.tif 000007